(57)【特許請求の範囲】
【請求項１】
無線端末を使用するエリアに設置された測定用機器が測定用データを受信した時の通信品質のデータを前記測定用機器より受ける無線通信機において、
ユーザーの操作に基づき自身の無線通信機の使用目的に応じた通信品質基準を設定する設定部と、
互いに送信出力が異なる複数の前記測定用データを送信し、前記測定用機器から前記複数の測定用データの通信品質に関する第１の通信品質データを受信する通信部と、
前記通信部が前記通信品質データを受信した時の通信品質（第２の通信品質）を測定しその結果を第２の通信品質データとして出力する測定部と、
前記複数の測定用データのうち、前記第２の通信品質データと前記第１の通信品質とが、前記通信品質基準を満たすものに対応する前記送信出力の最小値を求める送信出力決定部と、を備え、
前記最小値を前記使用目的に応じた前記通信品質基準に対する送信電力とすることを特徴とする無線通信機。
【請求項２】
前記通信部は、通信品質を測定するための前記測定用データを送信する毎にその送信出力を変化させて前記測定用機器に送信し、送信する毎に、前記送信出力に応じた送信出力で前記測定用機器が送信した前記測定用データに対応した前記通信品質データを前記測定用機器より受信する、
ことを特徴とする請求項１記載の無線通信機。
【請求項３】
前記通信部は、前記測定用データを送信する毎にその送信出力を下げて送信する送信部と、送信する毎に、前記送信出力に応じた送信出力で前記測定用機器が送信した前記測定用データに対応した前記通信品質データを前記測定用機器より受信する受信部と、を有し、
前記測定部は、前記受信部が前記通信品質データを受信する毎に、この通信品質データの前記第２の通信品質を測定し、
前記送信出力決定部は、前記第１の通信品質と前記第２の通信品質とを前記通信品質基準と比較し、前記第１の通信品質と前記第２の通信品質との少なくとも一方が前記通信品質基準を満たさなくなった場合、前記通信品質基準を満たさなくなった直前の回に前記受信部が受信した前記通信品質データに対応する前記測定用データを前記通信部が送信したときの送信出力を最適の送信出力と決定する、
ことを特徴とする請求項１記載の無線通信機。
【請求項４】
前記通信品質基準は、前記無線通信機と前記無線端末との通信の電子メール、ゲームを含む使用目的に応じたスループットである、ことを特徴とする請求項３記載の無線通信機。
【請求項５】
前記第１の通信品質は、前記無線通信機から前記測定用機器へ通信したときの下りのスループットであり、前記第２の通信品質は、前記測定用機器から前記無線通信機へ通信したときの上りのスループットである、ことを特徴とする請求項１、２、３又は４記載の無線通信機。
【請求項６】
前記測定用データは、スループットが測定可能な所定量のデータである、ことを特徴とする請求項１から５のいずれかに記載の無線通信機。
【請求項７】
請求項１から請求項６のうちの一項に記載の前記無線通信機と、
前記無線端末を使用する領域をカバーするエリアの端部に設置され、前記無線通信機から、この無線通信機が前記測定用データを送信したときの送信出力のデータを含んだ前記測定用データを受信する毎に、受信したときの前記測定用データの前記第１の通信品質を測定し、この測定結果を示す前記通信品質データを、前記送信出力データの示す送信出力により前記無線通信機へ送信する前記測定用機器と、
を備えたことを特徴とする無線通信システム。
【請求項８】
無線端末を使用するエリアに設置された測定用機器が測定用データを受信した時の通信品質のデータを前記測定用機器より受ける無線通信機の送信出力制御方法において、
ユーザーの操作に基づき自身の無線通信機の使用目的に応じた通信品質基準を設定し、
互いに送信出力が異なる複数の前記測定用データを送信し、
前記測定用機器から前記複数の測定用データの通信品質に関する第１の通信品質データを受信し、
前記第１の通信品質データを受信した時の通信品質（第２の通信品質）を測定してその結果を第２の通信品質データとして出力し、
前記複数の測定用データのうち、前記第２の通信品質データと前記第１の通信品質とが、前記通信品質基準を満たすものに対応する前記送信出力の最小値を求め、
前記最小値を前記使用目的に応じた前記通信品質基準に対する送信電力とする、
ことを特徴とする無線通信機の送信出力制御方法。
【請求項９】
通信品質を測定するための測定用データを送信する毎にその送信出力を変化させて前記測定用機器に送信し、
前記測定用データの送信する毎に、送信する毎の前記送信出力に応じた送信出力で前記測定用機器が送信した前記測定用データに対応した前記通信品質データを前記測定用機器より受信し、
この測定した前記第２の通信品質と前記測定用機器より受信した前記通信品質データの示す第１の通信品質とが、前記通信品質基準を満たした際の前記通信品質データに対応する前記測定用データを送信したときの前記送信出力を検出し、
この検出した送信出力のうちから最小の送信出力を求め、この求めた送信出力を前記無線端末にデータを送信する際の送信出力とする、
ことを特徴とする請求項８記載の無線通信機の送信出力制御方法。
【請求項１０】
通信品質を測定するための前記測定用データを送信する毎にその送信出力を下げて前記測定用機器に送信し、
前記測定用データの送信する毎に、送信する毎の前記送信出力に応じた送信出力で前記測定用機器が送信した前記測定用データに対応した前記通信品質データを前記測定用機器より受信し、
前記通信品質データを受信する毎に、この通信品質データの前記第２の通信品質を測定し、
前記第１の通信品質と前記第２の通信品質とを前記通信品質基準と比較し、
前記第１の通信品質と前記第２の通信品質との少なくとも一方が前記通信品質基準を満たさなくなった場合、前記通信品質基準を満たさなくなった直前の回に受信した前記通信品質データに対応する前記測定用データを送信したときの送信出力を最適の送信出力と決定する、
ことを特徴とする請求項８記載の無線通信機の送信出力制御方法。
【発明の詳細な説明】
【技術分野】
【０００１】
本発明は、無線通信機、無線通信システム及び無線通信機の送信出力制御方法に関し、送信出力を制御する無線通信機、無線通信システム及び無線通信機の送信出力制御方法に関する。
【背景技術】
【０００２】
近年、一般家庭等の屋内にインターネット等の公衆の通信ネットワークに接続できる光ファイバーケーブルの敷設が進み、この光ファイバーケーブルを使用した広帯域通信の普及が加速している。また、一般家庭等の屋内に敷設された光ファイバーケーブルに屋内の無線ＬＡＮ（Ｌｏｃａｌ  Ａｒｅａ  Ｎｅｔｗｏｒｋ）を接続し、この無線ＬＡＮに屋内に設置した端末を接続することにより、この屋内に設置した端末の通信環境が格段に良くなってきている。
【０００３】
例えば特許文献１に屋内のネットワーク環境を向上させる無線通信システムが開示されている。特許文献１に開示の無線通信システムは、屋内に設置された無線基地局装置を有し、測定手段により、屋内利用の端末と無線基地局装置との間の通信品質（スループット）を測定する。スループットとは、通信回線の単位時間あたりの実効転送量（通信速度（ｂｐｓ：ｂｉｔｓ  ｐｅｒ  ｓｅｃｏｎｄ））である。また、検出手段により、通信品質測定時の無線基地局装置の送信電力値を検出する。一般に通信品質（スループット）と送信電力とは比例する。そして、データ記憶手段に、通信品質の測定データ（スループット）と送信電力値の検出データの組み合わせを記憶する。そして、データ記憶手段を参照して、予め定めた品質基準（スループット）以上の通信品質の測定データに対応する送信電力値のうちから最小の送信電力値を求め、この送信電力値の送信電力を無線基地局装置の最適の送信電力とする。
【０００４】
このようにすることにより、特許文献１に開示の無線通信システムの無線基地局装置は、予め定めた品質基準（スループット）以上の通信品質（スループット）を保ちながら最小の送信電力により通信することを可能にしている。
【先行技術文献】
【特許文献】
【０００５】
【特許文献１】特開２００６−３３３２３５号公報
【発明の概要】
【発明が解決しようとする課題】
【０００６】
上述した特許文献１に記載の無線通信システムは、屋内利用の端末と無線基地局装置との間の通信品質（スループット）を測定し、通信品質測定時の無線基地局装置の送信電力値を検出する。そして、測定した通信品質（スループット）のうちの予め定めた品質基準（スループット）以上の通信品質に対応する送信電力値のうちから最小の送信電力値を求め、この送信電力値の送信電力を無線基地局装置の最適の送信電力としている。このようにすることにより、特許文献１に記載の無線通信システムは、予め定めた品質基準（スループット）以上の通信品質を保ちながら最小の送信電力により通信することを可能にしている。しかし、この無線通信システムは、無線基地局装置の最適の送信電力を求める際に、予め定めた固定の品質基準（スループット）を基準にしている。そして、この基準以上の通信品質（スループット）に対応する送信電力値のうちから最小の送信電力値を求め、この送信電力値の送信電力を最適の送信電力としている。このように、無線基地局装置の最適の送信電力を求める際に使用する品質基準（スループット）は予め定められた固定された基準である。このため、屋内利用の端末が、固定の予め定めた品質基準以下のスループットでも通信可能な電子メール用等の予め定めた使用目的用に使用される場合には、スループットと送信電力は比例しているので、無線基地局装置は過剰な送信電力を使用することになる。このように、屋内利用の端末が、固定の予め定めた品質基準（スループット）以下の比較的低い通信品質（スループット）でも通信可能な電子メール用等の使用目的用に使用される場合には、送信電力が無駄になるという問題がある。
【０００７】
本発明の目的は、上記課題を解決して、比較的低い通信品質でも通信可能な使用目的用
に使用する場合においても、送信電力が無駄にならず送信電力を節約することができる無線通信機、無線通信システム及び無線通信機の送信出力制御方法を提供することである。
【課題を解決するための手段】
【０００８】
本発明の無線通信機は、無線端末を使用するエリアに設置された測定用機器が測定用データを受信した時の通信品質のデータを前記測定用機器より受ける無線通信機において、ユーザーの操作に基づき自身の無線通信機の使用目的に応じた通信品質基準を設定する設定部と、互いに送信出力が異なる複数の前記測定用データを送信し、前記測定用機器から前記複数の測定用データの通信品質に関する第１の通信品質データを受信する通信部と、前記通信部が前記通信品質データを受信した時の通信品質（第２の通信品質）を測定しその結果を第２の通信品質データとして出力する測定部と、前記複数の測定用データのうち、前記第２の通信品質データと前記第１の通信品質とが、前記通信品質基準を満たすものに対応する前記送信出力の最小値を求める送信出力決定部と、を備え、前記最小値を前記使用目的に応じた前記通信品質基準に対する送信電力とするようにしている。
【０００９】
本発明の無線通信システムは、本発明の前記無線通信機と、前記無線端末を使用する領域をカバーするエリアの端部に設置され、前記無線通信機から、この無線通信機が前記測定用データを送信したときの送信出力のデータを含んだ前記測定用データを受信する毎に、受信したときの前記測定用データの前記第１の通信品質を測定し、この測定結果を示す前記通信品質データを、前記送信出力データの示す送信出力により前記無線通信機へ送信する前記測定用機器と、を備えている。
【００１０】
本発明の無線通信機の送信出力制御方法は、無線端末を使用するエリアに設置された測定用機器が測定用データを受信した時の通信品質のデータを前記測定用機器より受ける無線通信機の送信出力制御方法において、ユーザーの操作に基づき自身の無線通信機の使用目的に応じた通信品質基準を設定し、互いに送信出力が異なる複数の前記測定用データを送信し、前記測定用機器から前記複数の測定用データの通信品質に関する第１の通信品質データを受信し、前記第１の通信品質データを受信した時の通信品質（第２の通信品質）を測定してその結果を第２の通信品質データとして出力し、前記複数の測定用データのうち、前記第２の通信品質データと前記第１の通信品質とが、前記通信品質基準を満たすものに対応する前記送信出力の最小値を求め、前記最小値を前記使用目的に応じた前記通信品質基準に対する送信電力とするようにしている。
【発明の効果】
【００１１】
本発明によれば、比較的低い通信品質（スループット）でも通信可能な使用目的用に使用する場合においても、送信電力が無駄にならず送信電力を節約することが可能な無線通信機、無線通信システム及び無線通信機の送信電力制御方法を提供することができる。
【図面の簡単な説明】
【００１２】
【図１】本発明の第１の実施の形態に係る無線通信機の一例を示す図である。
【図２】本発明の第２の実施の形態に係る無線通信機の一例を示す図である。
【図３】本発明の第２の実施の形態の動作の一例を示すフローチャートである。
【図４】本発明の第２の実施の形態の無線通信機の設定部で設定される通信品質基準値の一例を示す図である。
【図５】図４に示す通信品質基準値を選択する画面の一例を示す図である。
【発明を実施するための形態】
【００１３】
次に、本発明の実施の形態について図面を参照して説明する。
（第１の実施の形態）
図１は、本発明の第１の実施の形態に係る無線通信機の一例を示す図である。
【００１４】
図１には、無線通信機１からデータを送信する無線端末３と、無線端末３を使用する領域をカバーするエリアの端部に設置される測定用機器２も記載してある
本実施の形態に係る無線通信機１は、設定部４と、通信部５と、測定部６と、送信出力決定部７とにより構成される。本実施の形態では、無線通信機１を無線ＬＡＮ親機とし、無線端末３を無線ＬＡＮ子機として記載する。
【００１５】
無線ＬＡＮ親機１は、例えば、ユーザー宅の屋内に設置され、インターネット等の公衆の通信ネットワークに接続できる通信回線（光ファイバーケーブル等）に接続されている。
【００１６】
設定部４は、ユーザーの操作に基づき自身の無線ＬＡＮ親機１の使用目的（例えば、電子メール、ゲーム等）に応じた通信品質基準を設定する。ここでは、通信品質を、例えば通信速度（スループット）を用いて説明する。無線ＬＡＮ親機１の使用目的が、電子メール、ゲーム等の場合は、動画閲覧等の高速のスループットが必要な使用目的の場合に比べて、一般的に低速のスループットで十分使用可能である。このため、使用目的が、電子メール、ゲーム等の場合は、その通信品質を低く設定することができる。
【００１７】
通信部５は、互いに送信出力が異なる複数の測定用データを送信し、測定用機器２から複数の測定用データの通信品質に関する通信品質データを受信する。すなわち、通信部５は、通信品質（スループット）を測定するための測定用データを送信する毎にその送信出力を変化させて測定用機器２に送信する。この測定用データは、測定用データを送信したときの送信出力のデータを含んでいる。そして、通信部５は、測定用データを送信する毎にこの測定用データに対応した通信品質データを測定用機器２より受信する。
【００１８】
このとき、測定用機器２は、通信部５が送信した測定用データを受信する毎に受信した時の通信品質（スループット）を測定し、この通信品質データを、測定用データに含まれる送信出力データの示す送信出力により無線ＬＡＮ親機１に送信する。
【００１９】
測定部６は、通信部５が通信品質データを受信した時の通信品質（第２の通信品質）を測定し、その結果を第２の通信品質データとして出力する。送信出力決定部７は、測定部６が測定した第２の通信品質と通信部５が受信した通信品質データの示す通信品質（第１の通信品質）とが、設定部４が設定した通信品質基準を満たした際の通信品質データに対応する測定用データを送信したときの通信部５の送信出力を検出する。したがって、送信出力決定部７は、第１の通信品質と第２の通信品質とが通信品質基準を満たしたときの送信出力を、通信部５が送信した測定用データ毎に検出する。そして、送信出力決定部７は、測定用データ毎に検出したこれらの送信出力のうちから最小の送信出力を求め、この最小の送信出力を最適な送信出力と決定する。そして、無線ＬＡＮ親機１は、送信出力決定部７が決定した送信出力を無線ＬＡＮ子機３にデータを送信する際の送信出力とする。一般的に、低い通信品質基準を満たす場合の送信出力は、高い通信品質基準を満たす場合の送信出力に比べて小さくてすむ。このため、使用目的が、電子メール、ゲーム等の場合は、設定部４により低い通信品質基準を設定することにより、送信出力を比較的小さくすることができる。
【００２０】
このように、本発明の第１の実施の形態によれば、設定部４により、ユーザーの操作に基づき自身の無線通信機１の使用目的に応じた通信品質基準を設定する。そして、送信出力決定部７により、測定部６が測定した通信品質と通信部５が受信した通信品質データの示す通信品質とが、設定部４が設定した通信品質基準を満たした際の通信部５の送信出力を検出する。そして、この検出した送信出力のうちから最小の送信出力を最適な送信出力と決定し、この送信出力で無線端末３にデータを送信するようにする。
【００２１】
このため、本発明の第１の実施の形態によれば、ユーザーの操作に基づき無線通信機の使用目的に応じた通信品質基準を設定することができる。このため、比較的低い通信品質でも通信可能な使用目的用に使用する場合において、ユーザーがこの使用目的用に見合った比較的低い通信品質を設定することにより、より小さい送信出力で無線端末にデータを送信することが可能となる。このため、比較的低い通信品質でも通信可能な使用目的用に使用する場合においても、送信電力が無駄にならず送信電力を節約することができる。
（第２の実施の形態）
図２は、本発明の第２の実施の形態に係る無線通信機の一例を示す図である。
【００２２】
この図２は、図１で示した通信部５を送信部８と受信部９とに分けたものである。また、図２には、無線通信機１の各部で必要な各情報を記憶する記憶部１０も記載してある。また、無線通信機１からデータを送信する無線端末３と、無線端末３を使用する領域をカバーするエリアの端部に設置される測定用機器２も記載してある。
【００２３】
本第２の実施の形態は、第１の実施の形態の送信出力決定部７の動作をより具体化したものである。したがって、主に第１の実施の形態と相違する部分について説明する。
【００２４】
本実施の形態に係る無線通信機１は、設定部４と、送信部８と、受信部９と、測定部６と、送信出力決定部７とにより構成する。本実施の形態では、無線通信機１を無線ＬＡＮ親機とし、無線端末３を無線ＬＡＮ子機として記載する。
【００２５】
設定部４は、ユーザーの操作に基づき自身の無線ＬＡＮ親機１の使用目的（例えば、電子メール、ゲーム等）に応じた通信品質基準を設定する。ここでは、通信品質を、例えば通信速度（スループット）を用いて説明する。無線ＬＡＮ親機１の使用目的が、電子メール、ゲーム等の場合は、動画閲覧等の高速のスループットが必要な使用目的の場合に比べて、一般的に低速のスループットで十分使用可能である。このため、使用目的が、電子メール、ゲーム等の場合は、その通信品質は低く設定することができる。
【００２６】
送信部８は、通信品質（スループット）を測定するための測定用データを送信する毎に、その送信出力を所定の送信出力から例えば一段階（例えば、前回の送信出力の１／２）ずつ下げて送信する。この測定用データは、測定用データを送信したときの送信出力のデータを含んでいる。
【００２７】
このとき、測定用機器２は、通信部５が送信した測定用データを受信する毎に受信した時の通信品質（スループット）を測定し、この測定した通信品質のデータを、測定用データに含まれる送信出力データの示す送信出力により無線ＬＡＮ親機１に送信する。
【００２８】
受信部９は、送信部８が測定用データを送信する毎にこの測定用データに対応した通信品質データを測定用機器２より受信する。
【００２９】
測定部６は、受信部９が通信品質データを受信する毎に、受信した時の通信品質データの通信品質（第２の通信品質（スループット））を測定する。送信出力決定部７は、測定部６が第２の通信品質を測定する毎に、この測定した第２の通信品質と受信部９が受信した通信品質データの示す通信品質（第１の通信品質（スループット））とを、設定部４が設定した通信品質基準と比較する。そして、第１の通信品質と第２の通信品質との少なくとも一方が通信品質基準を満たさなくなった場合、通信品質基準を満たさなくなった直前の回に受信部９が受信した通信品質データに対応する測定用データを送信部８が送信したときの送信出力を選択する。そして、この選択した送信出力を最適の送信出力と決定する。そして、無線ＬＡＮ親機１は、送信出力決定部７が決定した送信出力を無線ＬＡＮ子機３にデータを送信する際の送信出力とする。
【００３０】
次に、本発明の第２の実施の形態に係る無線通信機の動作を図３から図５を参照して詳細に説明する。
【００３１】
図３は、本発明の第２の実施の形態の動作の一例を示すフローチャートである。
【００３２】
図４は、本発明の第２の実施の形態の無線通信機１の設定部４で設定される通信品質基準値の一例を示す図である。「使用目的」に応じて選択可能な、上りまたは下りの「スループット」、「使用周波数」を示している。「使用目的」が“動画視聴”の場合は、「スループット」は“１００Ｍｂｐｓ”がデフォルトであり、“６５Ｍｂｐｓ”と“３０Ｍｂｐｓ”が選択可能である。また、「使用周波数」は“５ＧＨｚ”がデフォルトである。「使用目的」が“メール”の場合は、「スループット」は“１０Ｍｂｐｓ”がデフォルトであり、“３０Ｍｂｐｓ”が選択可能である。また、「使用周波数」は“２．４ＧＨｚ”がデフォルトであり、“５ＧＨｚ”が選択可能である。「使用目的」が“ゲーム”の場合は、「スループット」は“１０Ｍｂｐｓ”がデフォルトである。また、「使用周波数」は“２．４ＧＨｚ”がデフォルトである。「使用目的」が“Ｗｅｂブラウジング”の場合は、「スループット」は“３０Ｍｂｐｓ”がデフォルトであり、“６５Ｍｂｐｓ”と“１００.Ｍｂｐｓ”が選択可能である。また、「使用周波数」は“２．４ＧＨｚ”がデフォルトであり、“５ＧＨｚ”が選択可能である。
【００３３】
図５は、図４に示す通信品質基準値を選択する画面の一例を示す図である。「使用目的」、「上りスループット」、「下りスループット」、「使用周波数」の右側の各欄は、「使用目的」、「上りスループット」、「下りスループット」、「使用周波数」を入力する入力エリアである。「ＯＫ」と「キャンセル」は、例えば押下ボタンである。そして、ユーザーが「ＯＫ」の部分を例えば指先で押す等により入力エリアに表示された通信品質基準値が選択される。また、「キャンセル」の部分を指先で押す等により入力エリアの表示が消える。設定部４は入力手段（不図示）と表示手段（不図示）とを有し、ユーザーが入力手段により、図４に示す通信品質基準値に基づいて入力すると、表示手段に図５で示す用に表示される。ここでは、「使用目的」に“メール”、「上りスループット」に“１０Ｍｂｐｓ”、「下りスループット」に“１０Ｍｂｐｓ”及び「使用周波数」に“２．４ＧＨｚ”が選択されていることを示している。
【００３４】
ここで、図３を使用して、本発明の第２の実施の形態に係る無線通信機１の動作を説明する。測定用機器２は、予め無線ＬＡＮ子機３を使用する領域をカバーするエリアの端部に設置されている。
【００３５】
図３のステップＳ1では、無線ＬＡＮ親機１の設定部４は、ユーザーの操作に基づいて、電子メール、ゲームを含む使用目的に応じた通信速度（スループット）を含む通信品質基準を図５に示すように設定し、この設定した内容を記憶部１０に格納する。すなわち、ユーザーは、設定部４の入力手段により「使用目的」に“メール”を入力する。すると、設定部４の表示手段は「上りスループット」、「下りスループット」及び「使用周波数」に、“メール”に対応するデフォルト（“１０Ｍｂｐｓ”、“１０Ｍｂｐｓ”及び“２．４ＧＨｚ”）を表示する。次に、ユーザーが「ＯＫ」ボタンを押下することにより、入力エリアに表示された通信品質基準値が選択される。そして、この選択された通信品質基準値が記憶部１０に格納される。
【００３６】
図３のステップＳ２では、無線ＬＡＮ親機１の送信部８は、最初に、無線ＬＡＮ親機１の備えた最大の送信出力（例えば、３０ミリワット（ｍＷ）。この値にこだわることなくシステムにより適宜変更して良い。）を選択する。
【００３７】
図３のステップＳ３では、無線ＬＡＮ親機１の送信部８は、選択された送信出力、及び所定の通信速度（例えば、３００Ｍｂｐｓ）により、通信品質（スループット）を測定するための測定用データを送信する。この測定用データは、測定用データを送信したときの送信出力のデータを含んでいる。測定用データは、例えば、スループットが測定可能な所定量（例えば、２００Ｍbyte。この値にこだわることなくシステムにより適宜変更して良い。）の任意のデータである。そして、送信部８は、今回測定用データを送信したときの送信出力のデータを記憶部１０に格納する。
【００３８】
図３のステップＳ４では、測定用機器２は、無線ＬＡＮ親機１より測定用データを受信し、この測定用データの通信品質（第１の通信品質（スループット））を測定する。そして、この測定結果を示す通信品質データを、受信した測定用データに含まれる送信出力データの示す送信出力、及び例えば３００Ｍｂｐｓの通信速度により無線ＬＡＮ親機１に送信する。
【００３９】
図３のステップＳ５では、無線ＬＡＮ親機１の受信部９は、所定期間（例えば、５秒程度）測定用機器２からの通信品質データの受信を待つ。所定期間に測定用機器２から通信品質データを受信できた場合には、ステップＳ６へ進む。所定期間、測定用機器２から通信品質データが送られてこない場合には、ステップＳ３で測定用データを送信したときの送信出力では測定用機器２に送信できなかったと判断しステップＳ１０へ進む。
【００４０】
図３のステップＳ６では、無線ＬＡＮ親機１の受信部９は、ステップＳ５で受信した通信品質データの示す通信品質（第１の通信品質（スループット））のデータを、ステップＳ３で格納した送信出力データと組にして記憶部１０に格納する。
【００４１】
図３のステップＳ７では、無線ＬＡＮ親機１の測定部６は、受信部９で受信したときの通信品質データの通信品質（第２の通信品質（スループット））を測定し、この第２の通信品質データを、ステップＳ６で格納した第１の通信品質データと組にして記憶部１０に格納する。
【００４２】
図３のステップＳ８では、無線ＬＡＮ親機１の送信出力決定部７は、ステップＳ６とステップＳ７でそれぞれ記憶部１０に格納された第１の通信品質データと第２の通信品質データとを、ステップＳ１で記憶部１０に格納された通信品質基準値と比較する。そして、第１の通信品質と第２の通信品質とが通信品質基準を満たしているか否かを調べる。すなわち、第１の通信品質データで示すスループットが、通信品質基準値の下りスループット（１０Ｍｂｐｓ）以上のスループットであるか否かを調べる。また、第２の通信品質データで示すスループットが、通信品質基準値の上りスループット（１０Ｍｂｐｓ）以上のスループットであるか否かを調べる。調べた結果が、第１の通信品質データで示すスループットと第２の通信品質データで示すスループットとが共に通信品質基準値以上のスループットであることを示す場合には、ステップＳ９へ進む。調べた結果が、第１の通信品質データで示すスループットと第２の通信品質データで示すスループットとのうちの少なくとも一方が通信品質基準値以上のスループットでないことを示す場合には、ステップＳ１０へ進む。
【００４３】
図３のステップＳ９では、無線ＬＡＮ親機１の送信出力決定部７は、記憶部１０に格納してある今回測定用データを送信したときの送信出力を調べ、この送信出力より一段階低い送信出力（例えば、前回の送信出力の１／２。）を選択し、ステップＳ３へ進む。
【００４４】
図３のステップＳ１０では、無線ＬＡＮ親機１の送信出力決定部７は、今回測定用データを送信したときの送信出力が、ステップＳ２で選択した無線ＬＡＮ親機１の備える最大の送信出力であるか否かを調べる。最大の送信出力であった場合には異常と判断し終了する。最大の送信出力でなかった場合は、ステップＳ１１へ進む。
【００４５】
図３のステップＳ１１では、直前の回に選択した送信出力を最適の送信出力と決定する。そして、送信出力決定部７が決定した送信出力を無線ＬＡＮ子機３にデータを送信する際の送信出力とする。
【００４６】
このように、本発明の第２の実施の形態によれば、設定部４により、ユーザーの操作に基づき自身の無線通信機１の使用目的に応じた通信品質基準を設定する。そして、送信出力決定部７により、測定部６が測定した第２の通信品質と受信部９が受信した通信品質データの示す第１の通信品質とを通信品質基準と比較する。そして、第１の通信品質と第２の通信品質との少なくとも一方が通信品質基準を満たさなくなった場合、通信品質基準を満たさなくなった直前の回に測定用データを送信部８が送信したときの送信出力を最適の送信出力と決定する。そして、この送信出力で無線端末３にデータを送信するようにする。
【００４７】
このため、本発明の第２の実施の形態によれば、ユーザーの操作に基づき無線通信機の使用目的に応じた通信品質基準を設定することができる。このため、比較的低い通信品質でも通信可能な使用目的用に使用する場合において、ユーザーがこの使用目的用に見合った比較的低い通信品質を設定することにより、より小さい送信出力で無線端末にデータを送信することが可能となる。このため、比較的低い通信品質でも通信可能な使用目的用に使用する場合においても、送信電力が無駄にならず送信電力を節約することができる。
【００４８】
上記の実施形態の一部または全部は、以下の付記のように記載され得るが、以下には限られない。
（付記１）
無線端末を使用するエリアに設置された測定用機器が測定用データを受信した時の通信品質のデータを前記測定用機器より受ける無線通信機において、
ユーザーの操作に基づき自身の無線通信機の使用目的に応じた通信品質基準を設定する設定部と、
互いに送信出力が異なる複数の前記測定用データを送信し、前記測定用機器から前記複数の測定用データの通信品質に関する第１の通信品質データを受信する通信部と、
前記通信部が前記通信品質データを受信した時の通信品質（第２の通信品質）を測定しその結果を第２の通信品質データとして出力する測定部と、
前記複数の測定用データのうち、前記第２の通信品質データと前記第１の通信品質とが、前記通信品質基準を満たすものに対応する前記送信出力の最小値を求める送信出力決定部と、を備え、
前記最小値を前記使用目的に応じた前記通信品質基準に対する送信電力とすることを特徴とする無線通信機。
（付記２）
前記通信部は、通信品質を測定するための前記測定用データを送信する毎にその送信出力を変化させて前記測定用機器に送信し、送信する毎に、前記送信出力に応じた送信出力で前記測定用機器が送信した前記測定用データに対応した前記通信品質データを前記測定用機器より受信する、
ことを特徴とする付記１記載の無線通信機。
（付記３）
前記通信部は、前記測定用データを送信する毎にその送信出力を下げて送信する送信部と、送信する毎に、前記送信出力に応じた送信出力で前記測定用機器が送信した前記測定用データに対応した前記通信品質データを前記測定用機器より受信する受信部と、を有し、
前記測定部は、前記受信部が前記通信品質データを受信する毎に、この通信品質データの前記第２の通信品質を測定し、
前記送信出力決定部は、前記第１の通信品質と前記第２の通信品質とを前記通信品質基準と比較し、前記第１の通信品質と前記第２の通信品質との少なくとも一方が前記通信品質基準を満たさなくなった場合、前記通信品質基準を満たさなくなった直前の回に前記受信部が受信した前記通信品質データに対応する前記測定用データを前記通信部が送信したときの送信出力を最適の送信出力と決定する、
ことを特徴とする付記１記載の無線通信機。
（付記４）
前記通信品質基準は、前記無線通信機と前記無線端末との通信の電子メール、ゲームを含む使用目的に応じたスループットである、ことを特徴とする付記３記載の無線通信機。
（付記５）
前記第１の通信品質は、前記無線通信機から前記測定用機器へ通信したときの下りのスループットであり、前記第２の通信品質は、前記測定用機器から前記無線通信機へ通信したときの上りのスループットである、ことを特徴とする付記１、２、３又は４記載の無線通信機。
（付記６）
前記測定用データは、スループットが測定可能な所定量のデータである、ことを特徴とする付記１から５のいずれかに記載の無線通信機。
（付記７）
付記１から付記６のうちの一項に記載の前記無線通信機と、
前記無線端末を使用する領域をカバーするエリアの端部に設置され、前記無線通信機から、この無線通信機が前記測定用データを送信したときの送信出力のデータを含んだ前記測定用データを受信する毎に、受信したときの前記測定用データの前記第１の通信品質を測定し、この測定結果を示す前記通信品質データを、前記送信出力データの示す送信出力により前記無線通信機へ送信する前記測定用機器と、
を備えたことを特徴とする無線通信システム。
（付記８）
無線端末を使用するエリアに設置された測定用機器が測定用データを受信した時の通信品質のデータを前記測定用機器より受ける無線通信機の送信出力制御方法において、
ユーザーの操作に基づき自身の無線通信機の使用目的に応じた通信品質基準を設定し、
互いに送信出力が異なる複数の前記測定用データを送信し、
前記測定用機器から前記複数の測定用データの通信品質に関する第１の通信品質データを受信し、
前記第１の通信品質データを受信した時の通信品質（第２の通信品質）を測定してその結果を第２の通信品質データとして出力し、
前記複数の測定用データのうち、前記第２の通信品質データと前記第１の通信品質とが、前記通信品質基準を満たすものに対応する前記送信出力の最小値を求め、
前記最小値を前記使用目的に応じた前記通信品質基準に対する送信電力とする、
ことを特徴とする無線通信機の送信出力制御方法。
（付記９）
通信品質を測定するための測定用データを送信する毎にその送信出力を変化させて前記測定用機器に送信し、
前記測定用データの送信する毎に、送信する毎の前記送信出力に応じた送信出力で前記測定用機器が送信した前記測定用データに対応した前記通信品質データを前記測定用機器より受信し、
この測定した前記第２の通信品質と前記測定用機器より受信した前記通信品質データの示す第１の通信品質とが、前記通信品質基準を満たした際の前記通信品質データに対応する前記測定用データを送信したときの前記送信出力を検出し、
この検出した送信出力のうちから最小の送信出力を求め、この求めた送信出力を前記無線端末にデータを送信する際の送信出力とする、
ことを特徴とする付記８記載の無線通信機の送信出力制御方法。
（付記１０）
通信品質を測定するための前記測定用データを送信する毎にその送信出力を下げて前記測定用機器に送信し、
前記測定用データの送信する毎に、送信する毎の前記送信出力に応じた送信出力で前記測定用機器が送信した前記測定用データに対応した前記通信品質データを前記測定用機器より受信し、
前記通信品質データを受信する毎に、この通信品質データの前記第２の通信品質を測定し、
前記第１の通信品質と前記第２の通信品質とを前記通信品質基準と比較し、
前記第１の通信品質と前記第２の通信品質との少なくとも一方が前記通信品質基準を満たさなくなった場合、前記通信品質基準を満たさなくなった直前の回に受信した前記通信品質データに対応する前記測定用データを送信したときの送信出力を最適の送信出力と決定する、
ことを特徴とする付記８記載の無線通信機の送信出力制御方法。
（付記１１）
前記通信品質基準は、前記無線通信機と前記無線端末との通信の電子メール、ゲームを含む使用目的に応じたスループットである、ことを特徴とする付記９又は１０記載の無線通信機の送信出力制御方法。
（付記１２）
前記第１の通信品質は、前記無線通信機から前記測定用機器へ通信したときの下りのスループットであり、前記第２の通信品質は、前記測定用機器から前記無線通信機へ通信したときの上りのスループットである、ことを特徴とする付記９、１０又は１１記載の無線通信機の送信出力制御方法。
【符号の説明】
【００４９】
１  無線通信機、無線ＬＡＮ親機
２  測定用機器
３  無線端末、無線ＬＡＮ子機
４  設定部
５  通信部
６  測定部
７  送信出力決定部
８  送信部
９  受信部
１０  記憶部
【図１】
0005571740.tif 000002
【図２】
0005571740.tif 000003
【図３】
0005571740.tif 000004
【図４】
0005571740.tif 000005
【図５】
0005571740.tif 000006